(57)【特許請求の範囲】
【請求項１】
内面と、該内面により少なくとも一部が形成されたポンプチャンバとを備えたポンプハウジングを有し、ポンプチャンバはポンプハウジングを通って軸線方向に延びており、
ポンプハウジングのポンプチャンバ内に向かって軸線方向下方に延びるように構成されたプランジャを有し、該プランジャは、これをほぼ軸線方向に貫通して延びた流体通路を備え、
ポンプチャンバ内で摺動可能な、プランジャに取り付けられたピストンを有し、該ピストンは、この全周がポンプハウジングの内面とシール係合し、ポンプハウジングの内面とピストンとの間からの流体の漏洩を防止するように構成され、該ピストンは、ポンプチャンバ内で下死点と上死点との間を軸線方向に往復するように摺動可能であり、上死点は下死点の上方に軸線方向に間隔を隔てており、
プランジャと一緒に移動できるように、ピストンの半径方向内方でプランジャに取り付けられた呼び水弁を有し、該呼び水弁は、ピストンストロークが、ピストンを上死点から下死点に向けて下降移動させるときに開かれて、流体がポンプチャンバを通って上方に流れることを許容し、かつ、ピストンストロークが、ピストンを下死点から上死点に向けて上昇移動させるときに閉じられて、流体がポンプチャンバを通って上方に流れることを防止するように構成され、
プランジャと一緒に移動できるシールプラグを更に有し、該シールプラグは、ピストンがその下死点にあるときにポンプチャンバに座合しかつポンプチャンバを閉状態にシールして、流体がポンプチャンバを通って上方に流れることを防止するように構成され、該シールプラグは、ピストンがその下死点より上方の位置にあるときにはポンプチャンバとの座合から離れるように構成され、
前記呼び水弁及びシールプラグは、プランジャに対する該呼び水弁及びシールプラグの軸線方向移動を防止するようにプランジャに取り付けられていることを特徴とする手動往復流体ポンプ。
【請求項２】
前記呼び水弁及びシールプラグは、単一の一体部片からなることを特徴とする請求の範囲第１項に記載のポンプ。
【請求項３】
前記プランジャは下方に延びた突出部を有し、前記呼び水弁は上方に延びた弾性管状部分を有し、該弾性管状部分は、該呼び水弁が閉じられたときに管状部分の全周が突出部とシール係合し、かつ該呼び水弁が開かれると管状部分の少なくとも一部が突出部からほぼ半径方向外方に離れる方向に撓んで、管状部分と突出部との間にギャップを形成するように構成されていることを特徴とする請求の範囲第１項に記載のポンプ。
【請求項４】
前記突出部は、横断面形状がほぼ円形であることを特徴とする請求の範囲第３項に記載のポンプ。
【請求項５】
前記呼び水弁は、管状部分の下で該管状部分に隣接する環状フランジを更に有し、該環状フランジは、呼び水弁が開いているか閉じているかとは無関係に、環状フランジの全周がプランジャの一部とシール係合して、環状フランジと前記プランジャの一部との間の流体の漏洩を防止するように構成されていることを特徴とする請求の範囲第３項に記載のポンプ。
【請求項６】
前記呼び水弁の環状フランジと係合できるプランジャの前記一部が、環状肩部からなることを特徴とする請求の範囲第５項に記載のポンプ。
【請求項７】
少なくとも一部が前記ポンプチャンバ内にあるスプリングを更に有し、該スプリングは、環状フランジと係合して該環状フランジを押圧し、前記プランジャの一部とシール係合させることを特徴とする請求の範囲第５項に記載のポンプ。
【請求項８】
前記スプリングは、ピストンをその上死点の方向に押圧するように構成されていることを特徴とする請求の範囲第７項に記載のポンプ。
【請求項９】
前記ピストン及びポンプチャンバが、可変容積の流体受入れキャビティを形成し、流体受入れキャビティは、ピストンがその上死点にあるときの第１容積Ｖ1と、ピストンがその下死点にあるときの、第１容積Ｖ1より小さい第２容積Ｖ2とを有し、ポンプは更に、プランジャに連結された分配ヘッドと、該分配ヘッドの吐出ポートと、流体受入れキャビティと吐出ポートとを流体連通させるための、少なくとも一部がプランジャ及び分配ヘッドにより形成された吐出流体通路とを有していることを特徴とする請求の範囲第５項に記載のポンプ。
【請求項１０】
前記呼び水弁の管状部分の内面の一部が流体受入れキャビティを形成し、管状部分の外面の一部が吐出流体通路を形成していることを特徴とする請求の範囲第９項に記載のポンプ。
【請求項１１】
前記ポンプハウジングは更に、吸引ポートと、該吸引ポートと流体受入れキャビティとを流体連通させる吸引流路とを有し、ポンプは更に、吸引流路の逆止弁を有し、該逆止弁は、吸引ポートから流体受入れキャビティへの流体の流れを許容しかつ流体受入れキャビティから吸引ポートへの流体の流れを阻止するように構成されていることを特徴とする請求の範囲第９項に記載のポンプ。
【請求項１２】
内面と、該内面により少なくとも一部が形成されたポンプチャンバと、流体源と流体連通できる吸引ポートと、該吸引ポートとポンプチャンバとを流体連通させる吸引流路とを備えたポンプハウジングを有し、
ポンプハウジングのポンプチャンバ内に向かって軸線方向下方に延びるように構成されたプランジャを有し、該プランジャは、これをほぼ軸線方向に貫通して延びた吐出流体通路と、下方に延びた突出部とを備え、
ポンプチャンバ内で摺動可能な、プランジャに取り付けられたピストンを有し、該ピストンは、この全周がポンプハウジングの内面とシール係合し、ポンプハウジングの内面とピストンとの間からの流体の漏洩を防止するように構成され、ピストンは、ポンプチャンバ内で下死点と上死点との間を軸線方向に往復するように摺動可能であり、上死点は下死点の上方に軸線方向に間隔を隔てており、ピストン及びポンプチャンバが、可変容積の流体受入れキャビティを形成し、流体受入れキャビティは、ピストンがその上死点にあるときの第１容積Ｖ1と、ピストンがその下死点にあるときの、第１容積Ｖ1より小さい第２容積Ｖ2とを有し、
前記プランジャと一緒に移動できるように、ピストンの半径方向内方でプランジャに取り付けられた呼び水弁を有し、該呼び水弁は弾性管状部分を備え、該呼び水弁は、弾性管状部分の全周が突出部とシール係合してプランジャの吐出流体通路と流体受入れキャビティとの流体連通を阻止する閉位置と、弾性管状部分の少なくとも一部が突出部から離れるようにほぼ半径方向外方に撓んで、管状部分と突出部との間にギャップを形成し、流体受入れキャビティとプランジャの吐出流体通路とを流体連通させる開位置との間で移動できることを特徴とするディスペンサ。
【請求項１３】
前記プランジャと一緒に移動できるシールプラグを更に有し、該シールプラグは、ピストンがその下死点にあるときにポンプチャンバに座合しかつポンプチャンバを閉状態にシールして、流体が吸引流路からポンプチャンバに流れることを防止するように構成され、シールプラグは、ピストンがその下死点より上方の位置にあるときにはポンプチャンバとの座合から離れるように構成されていることを特徴とする請求の範囲第１２項に記載のディスペンサ。
【請求項１４】
前記吸引流路は、その少なくとも一部が、ポンプハウジングの直立管状突出部により形成され、シールプラグは、ピストンがその下死点にあるときに直立管状突出部に座合しかつ該直立管状突出部を閉状態にシールするように構成されていることを特徴とする請求の範囲第１３項に記載のディスペンサ。
【請求項１５】
前記呼び水弁及びシールプラグは、プランジャに対する呼び水弁及びシールプラグの軸線方向移動を防止するようにプランジャに取り付けられていることを特徴とする請求の範囲第１３項に記載のディスペンサ。
【請求項１６】
前記呼び水弁及びシールプラグは、単一の一体部片からなることを特徴とする請求の範囲第１３項に記載のディスペンサ。
【請求項１７】
前記プランジャの下方に延びた突出部は、横断面形状がほぼ円形であることを特徴とする請求の範囲第１２項に記載のディスペンサ。
【請求項１８】
前記呼び水弁は、管状部分の下で該管状部分に隣接する環状フランジを更に有し、該環状フランジは、呼び水弁がその開位置にあるか閉位置にあるかとは無関係に、環状フランジの全周がプランジャの一部とシール係合して、環状フランジと前記プランジャの一部との間の流体の漏洩を防止するように構成されていることを特徴とする請求の範囲第１２項に記載のディスペンサ。
【請求項１９】
前記呼び水弁の環状フランジと係合できるプランジャの前記一部が、環状肩部からなることを特徴とする請求の範囲第１８項に記載のディスペンサ。
【請求項２０】
少なくとも一部が前記ポンプチャンバ内にあるスプリングを更に有し、該スプリングは、環状フランジと係合して該環状フランジを押圧し、前記プランジャの一部とシール係合させることを特徴とする請求の範囲第１８項に記載のディスペンサ。
【請求項２１】
前記スプリングは、ピストンをその上死点の方向に押圧するように構成されていることを特徴とする請求の範囲第２０項に記載のディスペンサ。
【請求項２２】
前記呼び水弁の管状部分の内面の一部が流体受入れキャビティを形成し、管状部分の外面の一部が吐出流体通路を形成していることを特徴とする請求の範囲第１２項に記載のディスペンサ。
【請求項２３】
前記ポンプは更に吸引流路の逆止弁を有し、該逆止弁は、吸引ポートから流体受入れキャビティへの流体の流れを許容しかつ流体受入れキャビティから吸引ポートへの流体の流れを阻止するように構成されていることを特徴とする請求の範囲第１２項に記載のディスペンサ。
【発明の詳細な説明】
発明の背景
本発明は、ローションその他の液体を分配するための手動往復流体ポンプに関する。
ローションディスペンサ形の慣用的な往復液体ポンプは、一般に、液体容器に連結されたポンプハウジング内に向かって手動により下方に往復運動される分配ヘッドを備えたプランジャと、ポンプハウジングから出るようにプランジャを上方に押圧するスプリングと、呼び水弁と、逆止弁とを有している。呼び水弁は、ポンプハウジング内に向かうプランジャの下降移動時に弁座から離れ（すなわち開き）て、空になったポンプハウジング内の空気がプランジャ及び分配ヘッドを通って逃散できるようにし、次に、ポンプハウジングから出て上方に向かうプランジャの戻りストローク時には弁座に座合し（すなわち閉じ）、容器内の液体をポンプハウジング内に吸引する。逆止弁は、プランジャの下降移動時に弁座に座合し、ポンプハウジング内に収容された空気又は何らかの液体が容器内に押し戻されることを防止し、次に、プランジャの上昇移動時には弁座から離れて、プランジャの上昇移動によりポンプハウジング内に発生された真空が、液体を、容器から逆止弁を通してポンプハウジング内に吸引できるようにする。
手動往復液体ポンプの呼び水弁(priming valve)及び逆止弁には、しばしばボール弁が使用される。しかしながら、ボール弁の機能は、弁のボールをその座合位置に向かわせる重力に基づいて定まる。ボール弁を備えた往復ポンプを有する液体容器がその正立位置から移動された場合（例えば、輸送中に、液体容器が横向き又は倒立して置かれた場合）には、重力がもはやボール弁を座合させるように作用せず、従って容器内の液体が流出してポンプから漏洩する。
往復プランジャポンプは、該ポンプが取り付けられた液体容器が横向き又は倒立して置かれた場合に、ポンプからの液体の漏洩を防止する種々の構造に設計されている。しかしながら、これらの多くの設計は、往復プランジャポンプの漏洩を防止するための複雑な構造を必要とし、かつポンプの構成部品を追加する必要があるため、製造コストの増大を招いている。
発明の要約
本発明の数ある目的のうち特に注目すべき目的は、優れたローションディスペンサ（ローション分配器）、すなわち、正立位置、倒立位置又は横向きのいずれの位置に置かれても作動できる呼び水弁を備えたディスペンサ、倒立位置又は横向きに置かれたときに漏洩を防止できる構造をもつディスペンサ、及び比較的簡単な構造をもつディスペンサを提供することにある。
概略的には、本発明の手動往復流体ポンプは、ポンプハウジング及びプランジャを有する。ポンプハウジングは、内面と、少なくとも一部が該内面により形成されたポンプチャンバとを有する。ポンプチャンバは、ポンプハウジングを通って軸線方向に延びている。プランジャは、ポンプハウジングのポンプチャンバ内に向かって軸線方向下方に延びるように構成されている。プランジャは、これをほぼ軸線方向に貫通して延びている流体通路を有している。
プランジャにはピストンが取り付けられており、該ピストンはポンプチャンバ内で摺動可能である。ピストンは、この全周がポンプハウジングの内面とシール係合し、ポンプハウジングの内面とピストンとの間からの流体の漏洩を防止するように構成されている。ピストンは、ポンプチャンバ内で下死点と上死点との間を軸線方向に往復するように摺動可能であり、上死点は下死点の上方に軸線方向に間隔を隔てている。
プランジャと一緒に移動できるように、呼び水弁が、ピストンの半径方向内方でプランジャに取り付けられている。呼び水弁は、ピストンストロークが、ピストンを上死点から下死点に向けて下降移動させるときに開かれて、流体がポンプチャンバを通って上方に流れることを許容し、かつ、ピストンストロークが、ピストンを下死点から上死点に向けて上昇移動させるときに閉じられて、流体がポンプチャンバを通って上方に流れることを防止するように構成されている。
シールプラグが、プランジャと一緒に移動可能である。シールプラグは、ピストンがその下死点にあるときにポンプチャンバに座合しかつ該ポンプチャンバを閉状態にシールして、流体がポンプチャンバを通って上方に流れることを防止するように構成されている。シールプラグは、ピストンがその下死点より上方の位置にあるときにはポンプチャンバとの座合から離れるように構成されている。呼び水弁及びシールプラグは、プランジャに対する呼び水弁及びシールプラグの軸線方向移動を防止するようにプランジャに取り付けられている。
本発明の他の態様では、ディスペンサが、ポンプハウジング及びプランジャを有している。ポンプハウジングは、内面と、該内面により少なくとも一部が形成されたポンプチャンバと、流体源と流体連通できる吸引ポートと、該吸引ポートとポンプチャンバとを流体連通させる吸引流路とを備えている。プランジャは、ポンプハウジングのポンプチャンバ内に向かって軸線方向下方に延びるように構成されている。プランジャは、これをほぼ軸線方向に貫通して延びた吐出流体通路と、下方に延びた突出部とを備えている。
プランジャにはピストンが取り付けられており、該ピストンはポンプチャンバ内で摺動可能である。ピストンは、この全周がポンプハウジングの内面とシール係合し、ポンプハウジングの内面とピストンとの間からの流体の漏洩を防止するように構成されている。ピストンは、ポンプチャンバ内で下死点と上死点との間を軸線方向に往復するように摺動可能である。上死点は下死点の上方に軸線方向に間隔を隔てている。ピストン及びポンプチャンバは、可変容積の流体受入れキャビティを形成する。流体受入れキャビティは、ピストンがその上死点にあるときの第１容積Ｖ1と、ピストンがその下死点にあるときの、第１容積Ｖ1より小さい第２容積Ｖ2とを有する。
プランジャと一緒に移動できるように、呼び水弁が、ピストンの半径方向内方でプランジャに取り付けられている。呼び水弁は弾性管状部分を備え、かつ、弾性管状部分の全周が突出部とシール係合してプランジャの吐出流体通路と流体受入れキャビティとの流体連通を阻止する閉位置と、弾性管状部分の少なくとも一部が突出部から離れるようにほぼ半径方向外方に撓んで、管状部分と突出部との間にギャップを形成し、流体受入れキャビティとプランジャの吐出流体通路とを流体連通させる開位置との間で移動できる。
本発明の他の目的及び特徴は、以下の説明から明らかになるであろう。
【図面の簡単な説明】
第１図は、本発明のローションディスペンサのピストンが上死点にあるところを示す側断面図である。
第２図は、第１図のローションディスペンサのピストンが下死点にあるところを示す側断面図である。
両図面を通じて、同じ参照番号は同じ部品を示す。
好ましい実施形態の説明
ここで図面を参照すると、本発明のローションディスペンサは、その全体が参照番号２０で示されている。ローションディスペンサとして特徴を説明するが、本発明の範囲から逸脱することなく、このローションディスペンサ２０により他の液体をも分配できることを理解すべきである。ローションディスペンサ２０は、ポンプハウジング（その全体を参照番号２２で示す）と、プランジャ（その全体を参照番号２４で示す）と、ローション分配ヘッド（その全体を参照番号２６で示す）とを有している。
ポンプハウジング２２は、ほぼ円筒状の内面３０を備えた管状かつ円筒状の形状２８を有する。ポンプハウジング２２の頂部にはリング３２が形成されており、該リング３２は液体ボトル（図示せず）の頂縁部上に座合できる形状を有している。ポンプハウジング２２には、該ハウジングの中心軸線Ｘの回りで回転できるねじ付きカラー（すなわちキャップ）３４が取り付けられる。ねじ付きカラー３４は、ボトルのねじ付きネック（図示せず）を受け入れる。リング３２の直ぐ下の位置で、ポンプハウジング２２には、ボトル内部をハウジング内部を介して通気させるための１対の通気孔３６が設けられている。ポンプハウジング２２の円筒状内面３０の一部は、プランジャ２４を受け入れるポンプチャンバ３８を形成している。ポンプハウジング２２はその下端部の直径が小さくなっており、直立管状突出部４０が、ポンプハウジング２２の底部からポンプチャンバ３８内へと上方に突出している。直立管状突出部４０の下には、逆止弁チャンバ４２が設けられている。逆止弁チャンバ４２は環状弁座４４を有し、該弁座４４上にはボール逆止弁４６が載置されている。ボール４６の上昇移動を制限するための複数の肩部４８が逆止弁チャンバ４２内に向かって内方に突出している。環状弁座４４は、流体源（例えば、ボトル内の液体）と流体連通する、ポンプハウジング２２の吸引ポート５０を形成している。逆止弁チャンバ４２は、吸引ポート５０とポンプチャンバ３８とを流体連通させる吸引流路を形成している。ポンプハウジング２２の下端部には浸漬チューブ５４が固定されており、該浸漬チューブ５４はボトルの底まで下方に延びている構成が好ましい。
プランジャ２４はポンプハウジング２２のポンプチャンバ３８内に向かって軸線方向下方に延びている円筒状かつ管状の形状を有し、かつ内部には円筒状内部通路５８が設けられている。プランジャ２４のほぼ底部でかつプランジャ２４の円筒状内部通路５８の下には、下方に延びた突出部６０が配置されている。突出部６０は、横断面形状（すなわち、軸線Ｘに対して垂直な平面に沿う断面形状）がほぼ円形であり、かつほぼ半球形状の下端部を有している。突出部６０はこれを通る側方スリット６２を有し、該側方スリット６２は、液体をプランジャ２４の内部通路５８内に導くことができる。プランジャ２４の側方スリット６２及び内部通路５８は、プランジャ２４の流体吐出通路６４を形成する。プランジャ２４の頂部には、ローション分配ヘッド２６が固定されている。ローション分配ヘッド２６は、吐出ポート６６と、分配ヘッド２６を通っており、かつプランジャ２４の流体吐出通路６４と流体連通している通路６８とを有している。このため、プランジャ２４を通って上方に流れる液体は、ローション分配ヘッド２６を通って流れかつ吐出ポート６６を介してローション分配ヘッド２６から分配される。ディスペンサ２０はローション分配ヘッドを有するのが好ましいが、本発明の範囲を逸脱することなく他のヘッドを使用することもできる。例えば、ローション分配ヘッド２６は、ヘッドからの液体をスプレーパターンで分配するように特別設計されたスプレーヘッドに置換できる。スプレーヘッドは、本発明のポンプを容器からの低粘性流体の分配に使用するときに有効であろう。
好ましくは、分配ヘッド２６は、該ヘッドの一側面から横方向に突出したロックタブ７２を有している。ロックタブ７２は、ポンプハウジング２２の上端部に固定されたロックリング７６の環状フランジ７４（第２図）の下面と係合する。ロックリング７６のフランジ７４の周囲の一位置には、ロックタブ７２が通ることができる開口７８が設けられている。ねじ付きキャップ３４に対してローション分配ヘッド２６を回転させ、ロックタブ７２と開口７８とを整合させることにより、分配ヘッド２６及びプランジャ２４は、ポンプハウジング２２に対し、プランジャ２４のストローク移動範囲に亘って自由に往復運動できる。ロックタブ７２がロックリング７６の開口７８を通るようにして、プランジャ２４を、ロックリング７８及びねじ付きキャップ３４を通して押し下げ、次に、ロックタブ７２が開口７８と整合しなくなるようにローション分配ヘッド２６を回転させることにより、ポンプハウジング２２に対するプランジャ２４の相対位置がロックされる。プランジャ２４の外面とロックリング７６の内面との間にはシールリング８０が設けられており、ポンプハウジング２２の内面３０とボトル内部との間の流体密封シールを形成する。
プランジャ２４の外面にはピストン８２が形成されており、該ピストン８２は下方に延びた突出部６０を包囲している。ピストン８２はポンプチャンバ３８内で摺動可能であり、かつポンプハウジング２２の内面３０とピストン８２との間の流体の漏洩を防止すべく、ポンプハウジング２２の内面３０とピストンの全周とがシール係合するように構成されている。ピストン８２は、下死点（第２図）と上死点(第１図）との間で、軸線Ｘに沿ってポンプチャンバ３８内で往復摺動可能である。ピストン８２及びポンプチャンバ３８は、可変容積の流体受入れキャビティ８４を形成する。流体受入れキャビティ８４は、ピストン８２がその上死点（第１図）にあるときの第１容積Ｖ1と、ピストン８２がその下死点（第２図）にあるときの第２容積Ｖ2（第１容積Ｖ1より小さい）とを有する。プランジャ２４の吐出流体通路６４及び分配ヘッド２６は、流体受入れキャビティ８４と吐出ポート６６とを流体連通させる。プランジャ２４の外面には環状肩部８８が形成されており、該環状肩部８８はシールリング８０の下面と係合してプランジャ２４の上昇移動を制限する。プランジャ２４の底部とポンプハウジング２２のポンプチャンバ３８の底部との間にはコイルスプリング９０が配置されている。スプリング９０は、ポンプハウジング２２の直立管状突出部４０の周囲に配置され、プランジャ２４を、ポンプハウジング２２に対して上死点に向けて上方に押圧している。
プランジャ２４の突出部６０に隣接しかつピストン８２より半径方向内方の位置において、プランジャ２４には、該プランジャと一緒に移動できるように呼び水弁９２が取り付けられている。突出部６０は、呼び水弁９２の弁座として機能する形状及び構造を有している。呼び水弁９２は、突出部６０と係合できる弾性管状部分９４と、該管状部分９４の直ぐ下でこれを包囲する環状シールフランジ９６とを有している。シールフランジ９６は、プランジャ２４の内面により形成された環状肩部９８に対しシールフランジ９６の全周に亘ってシールし、これらの間の流体の漏洩を防止できるように構成されている。呼び水弁９２はプランジャ２４と一緒に移動するので、呼び水弁９２が開いているか閉じているかとは無関係に、シールフランジ９６はプランジャ２４の環状肩部９８に対してシールされた状態に維持される。コイルスプリング９０の上端部は、環状シールフランジ９６に当接してこれを上方に押圧し、該シールフランジ９６を環状肩部９８とシール係合させるのが好ましい。呼び水弁９２は更に、シールプラグ１００（より詳細に後述する）と、該シールプラグ１００を通る側方開口１０２とを有し、該側方開口１０２は、流体が呼び水弁９２を通り得るようにする。呼び水弁９２は、閉位置と開位置との間で移動できる。閉位置では、弾性管状部分９４がその全周で突出部６０とシール係合し、プランジャ２４の流体吐出通路６４と流体受入れキャビティ８４との流体連通を阻止する。開位置では、管状部分９４の少なくとも一部が突出部６０からほぼ半径方向外方に撓み、これにより、管状部分９４と突出部６０との間にギャップが形成され、流体受入れキャビティ８４とプランジャ２４の流体吐出通路６４とが流体連通される。
シールプラグ１００及び呼び水弁９２は単一の一体部片からなり、エラストマー材料で形成するのが好ましい。シールプラグ１００は、ピストン８２がその下死点にあるときにポンプハウジング２２の直立管状突出部４０に座合して閉状態にシールするように構成されており、流体がポンプチャンバ３８を通って上方に流れることを防止する。ピストン８２がその下死点より上方に位置するときは、シールプラグ１００がポンプハウジング２２の直立管状突出部４０の上方に間隔を隔てられ、このため直立管状突出部４０には座合しない。
ローションディスペンサ２０の液体ポンピング及び分配作動は、慣用的な往復ポンプの液体ポンピング及び分配作動と同じである。ローション分配ヘッド２６を手動で押し下げると、プランジャ２４及びピストン８２が下死点まで下方に移動される。この下降移動により、呼び水弁９２の弾性管状部分９４が半径方向外方に撓まされて呼び水弁９２が開かれる。これにより、流体（ポンプに最初に呼び水を差したときには空気、又はポンプに呼び水を差した後は容器の液体のいずれか）が、逆止弁チャンバ４２から、呼び水弁９２及び突出部６０の側方スリット６２を通って、プランジャ２４の流体吐出通路６４内に導かれ、ローション分配ヘッド２６の吐出ポート６６から吐出される。ローション分配ヘッド２６に加えられている手の力を解放すると、コイルスプリング９０が、プランジャ２４及びピストン８２を上死点に向かって上方に押しやる。この上昇移動により流体受入れキャビティ８４内に真空が発生され、これにより、逆止弁のボール４６が弁座から離れ、液体を、浸漬チューブ５４から逆止弁チャンバ４２を通して流体受入れキャビティ８４内に吸引する。この真空はまた、呼び水弁９２の弾性管状部分９４を半径方向内方に押しやり、呼び水弁９２を閉じる。ポンプハウジング２２に対するプランジャ２４の連続往復移動により、液体は容器から連続的に吸引されて、分配ヘッド２６を通って分配される。
プランジャ２４及びピストン８２がこれらの下死点にあり、かつ分配ヘッド２６が第２図に示すようにカラー３４にロックされているときは、プラグ１００が直立管状突出部４０に座合して、ディスペンサ２０を通る流れを阻止する。この位置では、ディスペンサ２０が傾斜又は倒立されても、液体がディスペンサから漏洩することはない。
以上から、本発明の幾つかの目的が達成されかつ他の優れた結果が得られることが理解されよう。
本発明の範囲を逸脱することなく上記構造に種々の変更を施すことができるが、上記説明又は添付図面に示した全ての事項は例示であって、本発明を限定するものではない。従って、本発明は、請求の範囲の記載によってのみ制限される。
【図１】
0003996194.tif 000002
【図２】
0003996194.tif 000003